(57)【要約】      （修正有）【課題】現場での部品管理や装着時の手間等が増すことなくコストアップを抑制することができ、且つ強い横揺れに対しても防振（防震）性を発揮することができ、しかも軽量な合成樹脂管の抱持支持に適しており、更に複数本の配管を並列状態で支持する場合であっても有効な配管吊下支持具を提供する。【解決手段】配管Ｐを、天井スラブ等の取付面から２点又は３点支持する配管吊下支持具において、吊りボルト３から吊下支持され、第１の配管を抱持する第１配管支持具１が、バンド抱持部には横方向外側に切起した上方側係止部と下方側係止部とが重合した重合係止部が形成されており、この重合係止部に、第２配管ＰＰを抱持する第２配管支持具４が重連状態で接続取付され、第２配管支持具の吊下係止部に、取付面から吊下げられる１本又は２本の吊下支持杆５を挿通固定して２点又は３点支持された状態とする。【選択図】図１
2017133608.tif 000002
【特許請求の範囲】
【請求項１】
配管を抱持するバンド抱持部と該バンド抱持部の上端部に連接されたバンド端部を有する配管支持具であって、抱持した配管を、天井スラブ等の取付面から２点又は３点支持する配管吊下支持具において、
配管支持具本体である第１配管支持具が、２つのバンド抱持部によって配管を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の略中央部より上方部分を該略中央部を基点として切起された状態で横方向外側に延伸する上方側取付部が形成され、
且つ、該バンド抱持部の略中央部より下方部分を該略中央部を基点として切起された状態で横方向外側に延伸する下方側取付部が形成され、
この横方向外側に切起した上方側取付部と下方側取付部とが重合された状態で重合取付部が形成され、
更に、この重合取付部の重合した部分にボルトの如き固定手段を挿通する透孔が貫通形成され、
この重合取付部に、別なる配管支持具である第２配管支持具が重連状態で接続取付されて該第２配管支持具に別なる配管である第２配管の抱持支持が可能である構成であり、
該第２配管支持具が、第２バンド抱持部によって第２配管を抱持可能であり、該第２バンド抱持部の上端部に連設された重連用取付部と、該第２バンド抱持部の下端部分に設けられた吊下用係止部と、を有して成り、
前記重連用取付部が、ボルトの如き固定手段を挿通する透孔が形成され、この重連用取付部を前記第１配管支持具の重合取付部に前記固定手段を用いて取付固定して重連状態での接続取付が可能な構成であり、
前記吊下係止部が、前記取付面に一端が固定されて吊下げられる１本又は２本の吊りボルトの如き吊下支持杆を挿通する透孔が形成され、この吊下係止部の透孔に前記吊下支持杆の他端を挿通固定して２点又は３点支持された状態とする構成であること、
を特徴とする配管吊下支持具。
【請求項２】
前記重合取付部の各々が、外側斜め下方に向かった状態で延伸する構成であることを特徴とする請求項１に記載の配管吊下支持具。
【請求項３】
前記重合取付部の各々が、前記した略中央部の基点から外側斜め上方に向かって延伸すると共に、この延伸した部分の中途部分であって且つ前記透孔よりも基点つ側の部分において折曲られた状態又は湾曲された状態で外側斜め下方に向かった状態で延伸する構成であることを特徴とする請求項１に記載の配管吊下支持具。
【請求項４】
前記重合取付部の各々が、前記した略中央部の基点から外側水平方向に向かって延伸すると共に、この延伸した部分の中途部分であって且つ前記透孔よりも基点側の部分において折曲られた状態又は湾曲された状態で外側斜め下方に向かった状態で延伸する構成であることを特徴とする請求項１に記載の配管吊下支持具。
【請求項５】
前記上方側取付部と前記下方側取付部の各々が、その基点部分から前記バンド抱持部の外周面に沿って折り返し横方向外側に延伸するように折曲された状態で重合された構成であることを特徴とする請求項１〜４のいずれかに記載の配管吊下支持具。
【請求項６】
前記第２配管支持具が、
両端が接触又は近接して略円形を成して前記第２配管を抱持する第２バンド抱持部と、
該第２バンド抱持部の両端部の各々に連設され、前記第１配管支持具の重合取付部に接続取付けする重連用取付部と、
前記第２バンド抱持部の下端部分に垂設する１枚又は２枚の吊下係止部と、
を有する構成であり、
この１枚又は２枚の吊下係止部は、前記下端部分の１箇所又は平行する２箇所を基端として該下端部分より端部方向部分の切り起された状態で該下端部分から垂設する構成であり、
更にこの１枚又は２枚の吊下係止部には、前記吊下支持杆を挿通する透孔が形成された構成であること、
を特徴とする請求項１〜５のいずれかに記載の配管吊下支持具。
【発明の詳細な説明】
【技術分野】
【０００１】
本発明は配管吊下支持具に関し、詳しくは天井スラブ等の取付面に、１〜３本の水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【０００３】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００４】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００５】
以上のことから、現場での部品管理や装着時の手間等が増すことなく、コストアップを抑制することができる配管吊下支持具の要請があることが判った。
【０００６】
更に本発明者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００７】
本発明者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００８】
そこで本発明者は、配管を抱持するバンド抱持部の一部を切り起して切起し係止部を形成し、この切起し係止部に、取付面から吊下げられた１本又は２本の吊下げ支持杆を係合可能とすることにより、２点又は３点吊下げ支持可能な配管吊下支持具を先に提案した（特許文献４〜６参照）。
【先行技術文献】
【特許文献】
【０００９】
【特許文献１】特開２００４−１５０４５２号
【特許文献２】実用新案登録第２５２４３４０号
【特許文献３】登録実用新案第３１４８３６１号
【特許文献４】登録実用新案第３１５３１８５号
【特許文献５】登録実用新案第３１５３５４５号
【特許文献６】登録実用新案第３１５３５４６号
【発明の概要】
【発明が解決しようとする課題】
【００１０】
本発明者はかかる技術について更に研究を進めたところ、近年、配管類として鋼管に代わって合成樹脂管（ポリエチレン管、架橋ポリエチレン管、ポリブデン管、塩化ビニル管、プロピレン管、ＡＢＳ管等）が用いられるようになってきており、今後、大部分の配管類が鋼管から合成樹脂管に代わることが予想されている。
【００１１】
合成樹脂管は、高い耐蝕性を有し、しかも鋼管と同等乃至同等以上の耐熱性及び耐衝撃性を有するのに鋼管に比して軽量であり、更に加工が容易であるため、取扱性等の点で優れている。
【００１２】
本発明者は、かかる合成樹脂管の配管支持技術について鋭意研究を続けたところ、合成樹脂管は上記したように軽量であるため、従来の鋼管用の支持具が求められるほどの堅牢度・強度等が不要であることを見出した。また、複数本の並列状態で支持する場合においても同様である。
【００１３】
そこで本発明の課題は、現場での部品管理や装着時の手間等が増すことなくコストアップを抑制することができ、且つ強い横揺れに対しても防振（防震）性を発揮することができ、しかも軽量な合成樹脂管の抱持支持に適しており、更に複数本の配管を並列状態で支持する場合であっても有効な配管吊下支持具を提供することにある。
【課題を解決するための手段】
【００１４】
上記課題を解決する本発明は下記構成を有する。
【００１５】
１．配管を抱持するバンド抱持部と該バンド抱持部の上端部に連接されたバンド端部を有する配管支持具であって、抱持した配管を、天井スラブ等の取付面から２点又は３点支持する配管吊下支持具において、
配管支持具本体である第１配管支持具が、２つのバンド抱持部によって配管を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の略中央部より上方部分を該略中央部を基点として切起された状態で横方向外側に延伸する上方側取付部が形成され、
且つ、該バンド抱持部の略中央部より下方部分を該略中央部を基点として切起された状態で横方向外側に延伸する下方側取付部が形成され、
この横方向外側に切起した上方側取付部と下方側取付部とが重合された状態で重合取付部が形成され、
更に、この重合取付部の重合した部分にボルトの如き固定手段を挿通する透孔が貫通形成され、
この重合取付部に、別なる配管支持具である第２配管支持具が重連状態で接続取付されて該第２配管支持具に別なる配管である第２配管の抱持支持が可能である構成であり、
該第２配管支持具が、第２バンド抱持部によって配管を抱持可能であり、該第２バンド抱持部の上端部に連設された重連用取付部と、該第２バンド抱持部の下端部分に設けられた吊下用係止部と、を有して成り、
前記重連用取付部が、ボルトの如き固定手段を挿通する透孔が形成され、この重連用取付部を前記第１配管支持具の重合取付部に前記固定手段を用いて取付固定して重連状態での接続取付が可能な構成であり、
前記吊下係止部が、前記取付面に一端が固定されて吊下げられる１本又は２本の吊りボルトの如き吊下支持杆を挿通する透孔が形成され、この吊下係止部の透孔に前記吊下支持杆の他端を挿通固定して２点又は３点支持された状態とする構成であること、
を特徴とする配管吊下支持具。
【００１６】
２．前記重合取付部の各々が、外側斜め下方に向かった状態で延伸する構成であることを特徴とする上記１に記載の配管吊下支持具。
【００１７】
３．前記重合取付部の各々が、前記した略中央部の基点から外側斜め上方に向かって延伸すると共に、この延伸した部分の中途部分であって且つ前記透孔よりも基点側の部分において折曲られた状態又は湾曲された状態で外側斜め下方に向かった状態で延伸する構成であることを特徴とする上記１に記載の配管吊下支持具。
【００１８】
４．前記重合取付部の各々が、前記した略中央部の基点から外側水平方向に向かって延伸すると共に、この延伸した部分の中途部分であって且つ前記透孔よりも基点側の部分において折曲られた状態又は湾曲された状態で外側斜め下方に向かった状態で延伸する構成であることを特徴とする上記１に記載の配管吊下支持具。
【００１９】
５．前記上方側取付部と前記下方側取付部の各々が、その基点部分から前記バンド抱持部の外周面に沿って折り返し横方向外側に延伸するように折曲された状態で重合された構成であることを特徴とする上記１〜４のいずれかに記載の配管吊下支持具。
【００２０】
６．前記第２配管支持具が、
両端が接触又は近接して略円形を成して前記第２配管を抱持する第２バンド抱持部と、
該第２バンド抱持部の両端部の各々に連設され、前記第１配管支持具の重合取付部に接続取付けする重連用取付部と、
前記第２バンド抱持部の下端部分に垂設する１枚又は２枚の吊下係止部と、
を有する構成であり、
この１枚又は２枚の吊下係止部は、前記下端部分の１箇所又は平行する２箇所を基端として該下端部分より端部方向部分の切り起された状態で該下端部分から垂設する構成であり、
更にこの１枚又は２枚の吊下係止部には、前記吊下支持杆を挿通する透孔が形成された構成であること、
を特徴とする上記１〜５のいずれかに記載の配管吊下支持具。
【００２１】
本明細書において、「上方」、「上端」、「下方」、「下端」の上下位置を示す語は、本発明の配管支持バンドが取り付けられる取付面を基準にして、該取付面に近い位置を「上」とし、該取付面から離れた位置を「下」としている。
即ち、吊下支持に用いる場合の「上方」「上端」は文字通りの「上」であり、「下方」「下端」は文字通りの「下」であるが、床面からの立上支持に用いる場合の「上方」「上端」は文字通りとは正反対の「下」となり、「下方」「下端」は文字通りとは正反対の「上」となる。また、壁面からの立上支持に用いる場合の「上方」「上端」は壁面に近い側であり、「下方」「下端」は壁面から遠い位置である。
【発明の効果】
【００２２】
請求項１に示す発明によれば、現場での部品管理や装着時の手間等が増すことなくコストアップを抑制することができ、且つ強い横揺れに対しても防振（防震）性を発揮することができ、しかも軽量な合成樹脂管の抱持支持に適しており、更に複数本の配管を並列状態で支持する場合であっても有効な配管吊下支持具を提供することができる。
【００２３】
特に、吊りボルトによる吊下支持に加えて、横揺れに対する防振（防震）性を発揮する吊下支持杆を、第２配管支持具のバンド抱持部に形成した吊下係止部に挿通固定する構成によって、配管を抱持する部分であるバンド抱持部の最大振れ幅箇所となる真横部を支持することになるので、極めて効果的に横揺れに対する防振（防震）性を発揮させることができる。従って、横揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００２４】
特に、重合取付部は、バンド抱持部を切り起こすだけで加工可能であるため、別部材を付加することもないし、切取加工等によって廃棄が必要となる部材も生じることもなく、低コスト化が可能な上に環境適性にも優れている。
【００２５】
更に、重合取付部は、上方側取付部と下方側取付部とを重合させた２枚構成を有するので１枚構成に比して強度が増すことになり、別なる配管である第２配管を安定した状態で抱持支持することができる。
【００２６】
請求項２に示す発明によれば、重合取付部の角度を調整することにより吊下支持杆との係合角度等を施工現場の状況に合わせて容易に調整することができる。
【００２７】
請求項３に示す発明によれば、重合取付部の角度を調整することにより吊下支持杆との係合角度等を施工現場の状況に合わせて容易に調整することができる。特に、この重合取付部の角度の調整は、切起し部分の切起し角度と中途部分の折曲角度又は彎曲角度の二箇所で調整することができるので調整の自由度が極めて高い。
【００２８】
更に、重合取付部が中途部分で折曲又は彎曲する構成によって、この折曲又は彎曲した中途部分が横揺れ時に緩衝機能を発揮することになるので振動（震動）を吸収することができる。従って、極めて高い防振（防震）効果を発揮することができる。
【００２９】
請求項４に示す発明によれば、重合取付部の角度を調整することにより吊下支持杆との係合角度等を施工現場の状況に合わせて容易に調整することができる。特に、この重合重合部の角度の調整は、切起し部分の切起し角度と中途部分の折曲角度又は彎曲角度の二箇所で調整することができるので調整の自由度が極めて高い。
【００３０】
更に、重合取付部が中途部分で折曲又は彎曲する構成によって、この折曲又は彎曲した中途部分が横揺れ時に緩衝機能を発揮することになるので振動（震動）を吸収することができる。従って、極めて高い防振（防震）効果を発揮することができる。
【００３１】
請求項５に示す発明によれば、重合取付部の基点部分の強度低下を抑制することができる。
【００３２】
請求項６に示す発明によれば、第２バンド抱持部の一部を切り起こすだけで吊下支持部が加工可能であるため、別部材を付加することもないし、切取加工等によって廃棄が必要となる部材も生じることもなく、低コスト化が可能な上に環境適性にも優れている。
【図面の簡単な説明】
【００３３】
【図１】本発明に係る配管吊下支持具の使用状態の第１実施例を示す概略正面図
【図２】図１の配管吊下支持具の第１配管支持具のみを示す５面図（正面図、平面図、底面図、左側面図、Ａ−Ａ断面図）
【図３】重合取付部の一例を示す要部拡大断面図
【図４】第２配管支持具の一例を示す５面図（正面図、平面図、底面図、左側面図、Ｂ−Ｂ段面図）
【図５】本発明に係る配管吊下支持具の使用状態の第２実施例を示す概略正面図
【図６】本発明に係る配管吊下支持具の使用状態の第３実施例を示す概略正面図
【発明を実施するための形態】
【００３４】
次に、添付の図面に従って本発明を詳細に説明する。
【００３５】
本発明に係る配管吊下支持具は、１〜３本の給水管、給湯管、排水管等の種々配管を、天井スラブに垂設固定された吊りボルトと更に前記天井スラブから斜めに垂設した１本又は２本の吊下支持杆によって防振（防震）状態で２点支持乃至は３点吊下支持するものである。
【００３６】
固定支持する種々の配管としては、従来一般的であった鋼管に代わって近年多く用いられるようになった合成樹脂管（ポリエチレン管、架橋ポリエチレン管、ポリブデン管、塩化ビニル管、プロピレン管、ＡＢＳ管等）の固定支持に本発明は特に有効である。尚、本発明は合成樹脂管の固定支持に特に有効であるが、従来の鋼管の固定支持も可能であり、固定支持する配管として鋼管を排除するものではない。
【００３７】
本発明の配管吊下支持具の具体的構成としては、図１及び図２に示すように、配管Ｐを抱持するバンド抱持部１１と該バンド抱持部１１の上端部に連接されたバンド端部１３を有する配管支持具であって、抱持した配管Ｐを、天井スラブ等の取付面２から２点又は３点支持するものであり、
配管支持具本体である第１配管支持具１が、２つのバンド抱持部１１・１１によって配管Ｐを抱持可能であり、該２つのバンド抱持部１１・１１の下端部分を組式又は蝶番式の如き接続部１２により拡開可能に接続され、前記バンド端部１３がタンバックルの如き吊下接続部材３１に接続されることで吊りボルト３からの吊下げが可能な構成の配管支持バンドから成り、
前記２つのバンド抱持部１１・１１の各々について、
該バンド抱持部１１の略中央部より上方部分を該略中央部を基点として切起された状態で横方向外側に延伸する上方側取付部１４Ａが形成され、
且つ、該バンド抱持部１１の略中央部より下方部分を該略中央部を基点として切起された状態で横方向外側に延伸する下方側取付部１４Ｂが形成され、
この横方向外側に切起した上方側取付部１４Ａと下方側取付部１４Ｂとが重合された状態で重合取付部１４が形成されており、
更に、この重合取付部１４の重合した部分にボルトの如き固定手段（本実施例ではボルト・ナット１７）を挿通する透孔１５が貫通形成され、
この重合取付部１４に、別なる配管支持具である第２配管支持具４が重連状態で接続取付されて該第２配管支持具４に別なる配管である第２配管ＰＰの抱持支持が可能な構成であり、
該第２配管支持具４が、第２バンド抱持部４１によって第２配管ＰＰを抱持可能であり、該第２バンド抱持部４１の上端部に連設された重連用取付部４３と、該第２バンド抱持部４１の下端部分に設けられた吊下用係止部４４と、を有して成り、
前記重連用取付部４３が、ボルトの如き固定手段（本実施例ではボルト・ナット１７）を挿通する透孔４５が形成され、この重連用取付部４３を前記第１配管支持具１の重合取付部１４に前記固定手段（本実施例ではボルト・ナット１７）を用いて取付固定して重連状態での接続取付が可能な構成であり、
前記吊下係止部４４が、前記取付面２に一端が固定されて吊下げられる１本又は２本（本実施例では２本）の吊りボルトの如き吊下支持杆５を挿通する透孔４６が形成され、この吊下係止部４４の透孔４６に前記吊下支持杆５の他端を挿通しナット５１により固定して２点又は３点支持（本実施例では３点支持）された状態とする構成である。
【００３８】
尚、図２に示す符号１１Ａ・１１Ｂは、上方側取付部１４Ａ・下方側取付部１４Ｂが切り起こされることで孔部となったバンド抱持部１１の被切起し孔部である。尚また、図２に示す符号１６は、吊下接続部材３１にバンド端部１３を接続固定するためのボルト・ナットである。
【００３９】
以下、本発明の構成について更に詳説する。
【００４０】
本発明の配管支持具を構成する第１配管支持具１及び第２配管支持具４の各々は、この種の配管支持具に用いられる材料として公知公用のものを特別の制限なく用いることができ、好ましくはステンレスやその他の金属製である。
【００４１】
重合取付部１４を構成する上方側取付部１４Ａと下方側取付部１４Ｂの各々は、バンド抱持部１１の略中央部を基点として切起してから外側に方向に向かって立ち上げる際に、図３に示すように、各々の基点部分から前記バンド抱持部１１・１１の外周面に沿って折り返してから横方向外側に延伸するように折り曲げて重合される構成とすることが好ましい。図３に示す符号１４Ｃは、バンド抱持部１１の外周面に沿って折り返した折り返し部である。かかる構成によれば、上方側取付部１４Ａ・下方側取付部１４Ｂの基点部分の強度低下を抑制することができる。
【００４２】
更に、重合取付部１４を構成する上方側取付部１４Ａと下方側取付部１４Ｂの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００４３】
更にまた、重合取付部１４を構成する上方側取付部１４Ａと下方側取付部１４Ｂとは、その重合部分をスポット溶接の如き接合手段を用いて接合する構成が好ましく、かかる構成によれば、重合取付部１４の重合部分の強度を高くすることができる。
【００４４】
重合取付部１４の延伸方向構成としては、図１及び図２に示す本第１実施例では、第１配管支持具１の重合取付部１４・１４の各々が、バンド抱持部１１・１１の各々の略中央部の基点から外側斜め下方に向かって延伸した形状を有する構成となっている。かかる構成によれば、重合取付部１４・１４の基点部分からの切起し角度を調整することにより第２配管支持具４による第２配管ＰＰの抱持固定位置を所望の高さに調整することができる。
【００４５】
また、図１に示す配管吊下支持具の第１実施例に用いられている第２配管支持具４は、図４に示す構成を有している。
即ち、第２配管支持具４が、
両端が接触又は近接して略円形を成して前記第２配管を抱持する第２バンド抱持部４１と、
該第２バンド抱持部４１の両端部の各々に連設され、前記第１配管支持具１の重合取付部１４に接続取付けする重連用取付部４３・４３と、
前記第２バンド抱持部４１の下端部分に垂設する１枚又は２枚（本実施例では２枚）の吊下係止部４４・４４と、
を有する構成であり、
この吊下係止部４４・４４は、前記下端部分の１箇所又は平行する２箇所（本実施例では２箇所）を基端として該下端部分より端部方向部分の切り起された状態で該下端部分から垂設する構成であり、
更にこの吊下係止部４４・４４には、前記吊下支持杆５を挿通する透孔４６が形成された構成である。
【００４６】
尚、図４に示す符号４４Ａは、吊下係止部４４が切り起こされることで孔部となった第２バンド抱持部４１の被切起し孔部である。
【００４７】
上記構成を有する本第１実施例の使用に際しては、図１に示すように、天井スラブ等の取付面２に一端が固定された吊りボルト３にタンバックルの如き吊下接続部材３１を介してバンド端部１３をボルト・ナット１６により固定することで第１配管支持具１を前記取付面２に吊下支持し、この第１配管支持具１の重合取付部１４・１４に第２配管支持具４・４の重連用取付部４３・４３をボルト・ナット１７・１７により固定することで前記第１配管支持具１に第２配管支持具４・４を重連状態で接続取付し、次に、この第２配管支持具４・４の吊下係止部４４・４４に、前記取付面２に一端が固定され、斜め吊下げする２本の公知公用の吊りボルトの如き吊下支持杆５・５の他端をナット５１・５１を用いて係合することによって、第１配管支持具１によって１本の配管Ｐを抱持支持すると共に、２つの第２配管支持具４によって２本の第２配管ＰＰを抱持した状態で、且つ吊りボルト３と２本の吊下支持杆５・５による３点吊下支持が可能となる。
【００４８】
以上、本発明に係る配管吊下支持具の実施例について説明したが、本発明は上記実施例に限定されず、本発明の範囲内において種々の他の態様を採ることもできる。
【００４９】
例えば、図５に示す第２実施例では、第１配管支持具１の重合取付部１４・１４の各々が、バンド抱持部１１・１１の各々の略中央部の基点から外側斜め上方に向かって延伸すると共に、この延伸した部分の中途部分１４Ｄであって且つ前記透孔１５よりも基点側の部分から外側斜め下方に向かって折曲又は彎曲する構成となっている。かかる構成によれば、重合取付部１４・１４の中途部分１４Ｄの折曲角度又は彎曲角度を調整することにより第２配管支持具４による第２配管ＰＰの抱持固定位置を所望の高さに調整することができる。
【００５０】
また、図６に示す第３実施例では、第１配管支持具１の重合取付部１４・１４の各々が、バンド抱持部１１・１１の各々の略中央部の基点から外側水平方向に向かって延伸すると共に、この延伸した部分の中途部分１４Ｄであって且つ前記透孔１５よりも基点側の部分から外側斜め下方に向かって折曲又は彎曲する構成となっている。かかる構成によれば、重合取付部１４・１４の中途部分１４Ｄの折曲角度又は彎曲角度を調整することにより第２配管支持具４による第２配管ＰＰの抱持固定位置を所望の高さに調整することができる。
【００５１】
更に、図１、図４に示す実施例では、第２配管支持具４として第２バンド抱持部４１の下端部分が分離していない提灯式構成の配管支持バンドを用いているが、第２バンド抱持部４１の加担部分が組式構成や蝶番式構成等の配管支持バンドを用いることもできる。また、第２バンド抱持部４１に形成される吊下係止部４４は、上記した実施例のように切起し形成に限らず、別部材を付加して形成することもできる。尚、図５に示す第２実施例、図６に示す第３実施例についても同様である。
【００５２】
更に、図１、図５及び図６に示す実施例では、第１配管支持具１の左右両側に２つの第２配管支持具４を重連状態で接続取付することによって、２本の第２配管ＰＰを抱持支持しているが、左又は右のいずれか一方のみに第２配管支持具４を接続取付することによって１本の第２配管ＰＰを抱持することも本発明に包含される。
【００５３】
更にまた、図１、図５及び図６に示す実施例では、吊りボルト３と２本の吊下支持杆５・５による３点吊下支持としているが、施工現場の状況等の諸条件に応じて吊下支持杆５を１本とする２点吊下支持とすることも本発明に包含される。
【符号の説明】
【００５４】
１  第１配管支持具
１１  バンド抱持部
１１Ａ  被切起し孔部
１１Ｂ  被切起し孔部
１２  接続部
１３  バンド端部
１４  重合取付部
１４Ａ  上方側取付部
１４Ｂ  下方側取付部
１４Ｃ  折り返し部
１４Ｄ  中途部分
１５  透孔
１６  ボルト・ナット
１７  ボルト・ナット
２  天井スラブ・壁面・床面の如き取付面
３  吊りボルト
３１  タンバックルの如き吊下接続部材
４  第２配管支持具
４１  第２バンド抱持部
４３  重連用取付部
４４  吊下係止部
４４Ａ  被切起し孔部
４５  透孔
４６  透孔
５  吊下支持杆
５１  ナット
Ｐ  配管
ＰＰ  第２配管
【図１】
2017133608.tif 000003
【図２】
2017133608.tif 000004
【図３】
2017133608.tif 000005
【図４】
2017133608.tif 000006
【図５】
2017133608.tif 000007
【図６】
2017133608.tif 000008
【手続補正書】
【提出日】平成29年1月26日(2017.1.26)
【手続補正１】
【補正対象書類名】特許請求の範囲
【補正対象項目名】全文
【補正方法】変更
【補正の内容】
【特許請求の範囲】
【請求項１】
配管を抱持するバンド抱持部と該バンド抱持部の上端部に連接されたバンド端部を有する配管支持具であって、抱持した配管を、天井スラブ等の取付面から２点又は３点支持する配管吊下支持具において、
配管支持具本体である第１配管支持具が、２つのバンド抱持部によって配管を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の略中央部より上方部分を該略中央部を基点として切起された状態で横方向外側に延伸する上方側取付部が形成され、
且つ、該バンド抱持部の略中央部より下方部分を該略中央部を基点として切起された状態で横方向外側に延伸する下方側取付部が形成され、
この横方向外側に切起した上方側取付部と下方側取付部とが重合された状態で重合取付部が形成され、
更に、この重合取付部の重合した部分にボルトの如き固定手段を挿通する透孔が貫通形成され、
この重合取付部に、別なる配管支持具である第２配管支持具が重連状態で接続取付されて該第２配管支持具に別なる配管である第２配管の抱持支持が可能である構成であり、
該第２配管支持具が、第２バンド抱持部によって第２配管を抱持可能であり、該第２バンド抱持部の上端部に連設された重連用取付部と、該第２バンド抱持部の下端部分に設けられた吊下係止部と、を有して成り、
前記重連用取付部が、ボルトの如き固定手段を挿通する透孔が形成され、この重連用取付部を前記第１配管支持具の重合取付部に前記固定手段を用いて取付固定して重連状態での接続取付が可能な構成であり、
前記吊下係止部が、前記取付面に一端が固定されて吊下げられる１本又は２本の吊りボルトの如き吊下支持杆を挿通する透孔が形成され、この吊下係止部の透孔に前記吊下支持杆の他端を挿通固定して２点又は３点支持された状態とする構成であること、
を特徴とする配管吊下支持具。
【請求項２】
前記重合取付部の各々が、外側斜め下方に向かった状態で延伸する構成であることを特徴とする請求項１に記載の配管吊下支持具。
【請求項３】
前記重合取付部の各々が、前記した略中央部の基点から外側斜め上方に向かって延伸すると共に、この延伸した部分の中途部分であって且つ前記透孔よりも基点側の部分において折曲られた状態又は湾曲された状態で外側斜め下方に向かった状態で延伸する構成であることを特徴とする請求項１に記載の配管吊下支持具。
【請求項４】
前記重合取付部の各々が、前記した略中央部の基点から外側水平方向に向かって延伸すると共に、この延伸した部分の中途部分であって且つ前記透孔よりも基点側の部分において折曲られた状態又は湾曲された状態で外側斜め下方に向かった状態で延伸する構成であることを特徴とする請求項１に記載の配管吊下支持具。
【請求項５】
前記上方側取付部と前記下方側取付部の各々が、その基点部分から前記バンド抱持部の外周面に沿って折り返し横方向外側に延伸するように折曲された状態で重合された構成であることを特徴とする請求項１〜４のいずれかに記載の配管吊下支持具。
【請求項６】
前記第２配管支持具が、
両端が接触又は近接して略円形を成して前記第２配管を抱持する第２バンド抱持部と、
該第２バンド抱持部の両端部の各々に連設され、前記第１配管支持具の重合取付部に接続取付けする重連用取付部と、
前記第２バンド抱持部の下端部分に垂設する１枚又は２枚の吊下係止部と、
を有する構成であり、
この１枚又は２枚の吊下係止部は、前記下端部分の１箇所又は平行する２箇所を基端として該下端部分より端部方向部分の切り起された状態で該下端部分から垂設する構成であり、
更にこの１枚又は２枚の吊下係止部には、前記吊下支持杆を挿通する透孔が形成された構成であること、
を特徴とする請求項１〜５のいずれかに記載の配管吊下支持具。
【手続補正２】
【補正対象書類名】明細書
【補正対象項目名】００１５
【補正方法】変更
【補正の内容】
【００１５】
１．配管を抱持するバンド抱持部と該バンド抱持部の上端部に連接されたバンド端部を有する配管支持具であって、抱持した配管を、天井スラブ等の取付面から２点又は３点支持する配管吊下支持具において、
配管支持具本体である第１配管支持具が、２つのバンド抱持部によって配管を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の略中央部より上方部分を該略中央部を基点として切起された状態で横方向外側に延伸する上方側取付部が形成され、
且つ、該バンド抱持部の略中央部より下方部分を該略中央部を基点として切起された状態で横方向外側に延伸する下方側取付部が形成され、
この横方向外側に切起した上方側取付部と下方側取付部とが重合された状態で重合取付部が形成され、
更に、この重合取付部の重合した部分にボルトの如き固定手段を挿通する透孔が貫通形成され、
この重合取付部に、別なる配管支持具である第２配管支持具が重連状態で接続取付されて該第２配管支持具に別なる配管である第２配管の抱持支持が可能である構成であり、
該第２配管支持具が、第２バンド抱持部によって第２配管を抱持可能であり、該第２バンド抱持部の上端部に連設された重連用取付部と、該第２バンド抱持部の下端部分に設けられた吊下係止部と、を有して成り、
前記重連用取付部が、ボルトの如き固定手段を挿通する透孔が形成され、この重連用取付部を前記第１配管支持具の重合取付部に前記固定手段を用いて取付固定して重連状態での接続取付が可能な構成であり、
前記吊下係止部が、前記取付面に一端が固定されて吊下げられる１本又は２本の吊りボルトの如き吊下支持杆を挿通する透孔が形成され、この吊下係止部の透孔に前記吊下支持杆の他端を挿通固定して２点又は３点支持された状態とする構成であること、
を特徴とする配管吊下支持具。
【手続補正３】
【補正対象書類名】明細書
【補正対象項目名】００３７
【補正方法】変更
【補正の内容】
【００３７】
本発明の配管吊下支持具の具体的構成としては、図１及び図２に示すように、配管Ｐを抱持するバンド抱持部１１と該バンド抱持部１１の上端部に連接されたバンド端部１３を有する配管支持具であって、抱持した配管Ｐを、天井スラブ等の取付面２から２点又は３点支持するものであり、
配管支持具本体である第１配管支持具１が、２つのバンド抱持部１１・１１によって配管Ｐを抱持可能であり、該２つのバンド抱持部１１・１１の下端部分を組式又は蝶番式の如き接続部１２により拡開可能に接続され、前記バンド端部１３がタンバックルの如き吊下接続部材３１に接続されることで吊りボルト３からの吊下げが可能な構成の配管支持バンドから成り、
前記２つのバンド抱持部１１・１１の各々について、
該バンド抱持部１１の略中央部より上方部分を該略中央部を基点として切起された状態で横方向外側に延伸する上方側取付部１４Ａが形成され、
且つ、該バンド抱持部１１の略中央部より下方部分を該略中央部を基点として切起された状態で横方向外側に延伸する下方側取付部１４Ｂが形成され、
この横方向外側に切起した上方側取付部１４Ａと下方側取付部１４Ｂとが重合された状態で重合取付部１４が形成されており、
更に、この重合取付部１４の重合した部分にボルトの如き固定手段（本実施例ではボルト・ナット１７）を挿通する透孔１５が貫通形成され、
この重合取付部１４に、別なる配管支持具である第２配管支持具４が重連状態で接続取付されて該第２配管支持具４に別なる配管である第２配管ＰＰの抱持支持が可能な構成であり、
該第２配管支持具４が、第２バンド抱持部４１によって第２配管ＰＰを抱持可能であり、該第２バンド抱持部４１の上端部に連設された重連用取付部４３と、該第２バンド抱持部４１の下端部分に設けられた吊下係止部４４と、を有して成り、
前記重連用取付部４３が、ボルトの如き固定手段（本実施例ではボルト・ナット１７）を挿通する透孔４５が形成され、この重連用取付部４３を前記第１配管支持具１の重合取付部１４に前記固定手段（本実施例ではボルト・ナット１７）を用いて取付固定して重連状態での接続取付が可能な構成であり、
前記吊下係止部４４が、前記取付面２に一端が固定されて吊下げられる１本又は２本（本実施例では２本）の吊りボルトの如き吊下支持杆５を挿通する透孔４６が形成され、この吊下係止部４４の透孔４６に前記吊下支持杆５の他端を挿通しナット５１により固定して２点又は３点支持（本実施例では３点支持）された状態とする構成である。